(57)【要約】      （修正有）【解決手段】担架を載せた昇降台を浴槽内で昇降する入浴装置に対して、担架を授受・移送するストレッチャーを入浴装置の外側面に位置決め連結する入浴装置のストレッチャー連結装置において、入浴装置の外側面下方に開放した係止凹部３２を設け、前記ストレッチャーの側面に連結アーム５２を揺動可能に設置し、この連結アームの先端部が下方から係止凹部に弾性的に係合可能とし、前記ストレッチャーに高さ調節手段６０を設け、この高さ調節手段によって前記連結アームの揺動最高位置の高さを調節可能としたもの。【効果】高さ調節手段によって係止凹部への係合する位置を適宜調節することによりこれらの係合を適正に行うことができる。ストレッチャーの連結アームの高さと入浴装置の係止凹部の高さとが一致せずとも、簡易な作業によりストレッチャーを入浴装置に安定した状態でしっかりと連結・固定することができる。【選択図】図５
0003117859.tif 000002
【実用新案登録請求の範囲】
【請求項１】
担架を載せた昇降台を浴槽内で昇降する入浴装置に対して、担架を授受・移送するストレッチャーを前記入浴装置の外側面に位置決め連結する入浴装置のストレッチャー連結装置において、上記入浴装置の外側面下方に開放した係止凹部を設けるとともに前記ストレッチャーの側面に連結アームを揺動可能に設置し、この連結アームの先端部が下方から前記係止凹部に弾性的に係合可能とするとともに前記ストレッチャーに高さ調節手段を設け、この高さ調節手段によって前記連結アームの揺動最高位置の高さを調節可能としたことを特徴とする入浴装置のストレッチャー連結装置。  
【請求項２】
請求項１の入浴装置のストレッチャー連結装置において、前記高さ調節手段は、前記ストレッチャーにおける前記連結アームの揺動軸の外側上方に、ナット部材を設置するとともにこのナット部材にボルト部材を螺合し、このボルト部材を前記ナット部材に対して螺動させることによってこのボルト部材を上下方向に進退可能にするとともにこのボルト部材の下端を前記連結アームの上面に当接させたことを特徴とする入浴装置のストレッチャー連結装置。
【請求項３】
請求項２の入浴装置のストレッチャー連結装置において、前記進退部材の下端面に弾性材を配置したことを特徴とする入浴装置のストレッチャー連結装置。
【考案の詳細な説明】
【技術分野】
【０００１】
この考案は入浴装置のストレッチャー連結装置に関し、担架を載せた昇降台を浴槽内で昇降する入浴装置に対して、担架を授受・移送するストレッチャーを前記入浴装置の外側面に位置決め連結する場合に使用される。即ち、自力では入浴できない身体的なハンディの有る人が入浴する場合に用される装置である。
【背景技術】
【０００２】
従来におけるこの種のストレッチャー連結装置は、上記入浴装置の外側面下方に開放した係止凹部を設けるとともに前記ストレッチャーの側面に連結アームを揺動可能に設置して、この連結アームの先端部を下方から揺動させて前記係止凹部に弾性的に係合させることによって前記ストレッチャーを前記入浴装置の外側面に位置決めした状態で固定されていた。
【０００３】
ところで、ストレッチャーと入浴装置とは独立して設計・製作されていたため、前記係止凹部の高さと前記連結アームとの高さとが一致しない場合が生ずるものである。このような場合、従来にあっては、入浴装置の高さを調節することによって前記係止凹部の高さを調節し、これらの係合を適正に行うことによってストレッチャーを入浴装置に安定した状態でしっかりと連結・固定させていた。
【０００４】
【特許文献１】特開平１１−１７７０７２
【考案の開示】
【考案が解決しようとする課題】
【０００５】
しかしながら、入浴装置は不動産的なものであるため、一旦設置した場合にその高さを調節することは極めて難事業であり、又、設置場所によっては、高さ調整ができず、この結果、設置場所の位置を変更しなければならないという不都合を有した。
【０００６】
この考案の課題はかかる不都合を解消することである。
【課題を解決するための手段】
【０００７】
上記課題を達成するために、この考案に係る入浴装置のストレッチャー連結装置においては、担架を載せた昇降台を浴槽内で昇降する入浴装置に対して、担架を授受・移送するストレッチャーを前記入浴装置の外側面に位置決め連結する入浴装置のストレッチャー連結装置において、上記入浴装置の外側面下方に開放した係止凹部を設けるとともに前記ストレッチャーの側面に連結アームを揺動可能に設置し、この連結アームの先端部が下方から前記係止凹部に弾性的に係合可能とするとともに前記ストレッチャーに高さ調節手段を設け、この高さ調節手段によって前記連結アームの揺動最高位置の高さを調節可能としたものである。
【０００８】
なお、前記高さ調節手段として、前記ストレッチャーにおける前記連結アームの揺動軸の外側上方に、ナット部材を設置するとともにこのナット部材にボルト部材を螺合し、このボルト部材を前記ナット部材に対して螺動させることによってこのボルト部材を上下方向に進退可能にするとともにこのボルト部材の下端を前記連結アームの上面に当接させることができる。
【０００９】
また、この場合、前記進退部材の下端面に弾性材を配置することもできる。
【考案の効果】
【００１０】
この考案に係る入浴装置のストレッチャー連結装置は上記のように構成されているため、前記高さ調節手段によって前記連結アームの揺動最高位置、即ち、前記係止凹部への係合する位置を適宜調節することによってこれらの係合を適正に行うことができるものである。
【００１１】
よって、この入浴装置のストレッチャー連結装置を使用すれば、製作段階において、また、入浴装置の設置場所を原因として、ストレッチャーの連結アームの高さと入浴装置の係止凹部の高さとが一致しなくても、従来のように、入浴装置の高さを調節する必要がないため、簡易な作業によりストレッチャーを入浴装置に安定した状態でしっかりと連結・固定することができる。
【００１２】
なお、前記高さ調節手段として、前記ストレッチャーにおける前記連結アームの揺動軸の外側上方に、ナット部材を設置するとともにこのナット部材にボルト部材を螺合し、このボルト部材を前記ナット部材に対して螺動させることによってこのボルト部材を上下方向に進退可能にするとともにこのボルト部材の下端を前記連結アームの上面に当接させれば、前記連結アームの揺動最高位置の微調整を適正且つ簡易に行うことができる。
【００１３】
また、この場合、前記進退部材の下端面に弾性材を配置すれば、前記連結アームとの当接面において、衝撃が吸収されるため、連結アームの係合時の騒音を防止することができる。
【実施例】
【００１４】
以下、図面に基づいてこの考案の実施例を説明する。
図１はこの考案に係る入浴装置のストレッチャー連結装置の正面図、図２は同平面図、図３は図１におけるIII-III 線拡大断面図、図４は図３におけるIV部拡大図、図５は図３におけるV-V 線断面図、図６は同VI-VI 線断面図である。
【００１５】
図２において、Ｂは入浴装置である。この入浴装置Ｂにおいて、10は浴槽、11は浴槽10内に設置された昇降台、12,12 はこの昇降台11に設置されたレールである。このレール12,12 上に担架ごと載せ昇降台11を下降させることによって入浴者を入浴させる。13はガイド溝であり、前記浴槽10の側面に水平方向に沿って形成されている。このガイド溝13の機能は後記する。
【００１６】
また、30は係止部材であり、前記浴槽10の側面に特設されている。この係止部材30には、図６に示すように、係止片31が垂下し、この係止片31に係止凹部32およびこの係止凹部32に連なる誘導斜面部33が形成されている。
【００１７】
次に，図１および図２において、Ｓはストレッチャー，20はその台車である。この台車20は担架Ｐを移送するためのものである。21は前記台車20のフレームである。22,22,…はキャスターであり、このフレーム21の下端に設置されている。また、23,23 はレールであり、前記フレーム21の上面に設置されている。このレール23,23 を介して前記担架Ｐは移送され、前記浴槽10内のレール12,12 に移される。
【００１８】
24,24,…はガイドローラーであり、前記フレーム21の側面にブラケット241,241,…を介して設置されている。このガイドローラー24は、前記浴槽10との距離を一定に維持するためのものであり、前記ガイド溝13に嵌挿した状態で水平方向に回転移動する。
【００１９】
次に、図３〜５において、50,50 は取付部材（角パイプ２本を並設したもの）であり、前記フレーム（台車20の）21の両側に設置されている。これらの取付部材50,50 は下方に延びている。51,51 は一対の支持金具（断面Ｌ状の、所謂Ｌチャンネル）であり、空間を介して略平行に配置されている。この状態で、前記支持金具51,51 は、その水平部を前記取付部材50,50 の下端面に溶接している。なお、511,511 は連結板である。
【００２０】
52,52 は一対の連結アーム（角パイプ材によって形成されている）であり、前記一対の支持金具51,51 の間に配置され、揺動軸521,521 によって揺動可能に支持されている。これらの連結アーム52,52 の先端部は、前記ガイドローラー24と同様に、前記フレーム（台車20の）21の側面方向に突出している。また、これらの連結アーム52,52 は根幹部によってピン522 を介して揺動可能に枢支され、このピン522 の位置を基準として互いに線対象の状態で揺動する。なお、前記ピン522 の貫通するいずれかの前記連結アームの孔は揺動の際にピン522 が逃げることができるように長孔になっている（図３を参照のこと）。
【００２１】
53は引っ張りバネであり、前記フレーム21と前記連結アーム52との間に設置されている。この引っ張りバネ53は前記揺動軸521 よりも外側に位置しているため、常時、前記連結アーム52が水平状態になるように上方向に引っ張っている。
【００２２】
次に、60はナット部材であり、ブラケット61を介して、前記取付部材50の外側面に設置されている。このナット部材60は軸心を垂直方向に延ばしている。62はボルト部材であり、前記ナット部材60に下方から螺挿されている。63はゴム材（この考案の「弾性材」に相当する）であり、前記ボルト部材62の下端面（ボルト部材の頭部）に接着されている。このゴム材63を介して前記ボルト部材62の下端面は連結アーム52の上面に弾性的に当接している。このため、衝突音の発生を防止できる。また、前記ボルト部材62を前記ナット部材60に対して螺動させることによりて上下方向に進退させれば、前記連結アーム52の揺動最高位置の高さを適宜調整することができる。
【００２３】
次に、64は係止部兼用ペダルであり、前記連結アーム52の先端上面に溶接されている。この係止部兼用ペダル64は係止部として機能するときは、前記浴槽10の前記係止片31の内側に位置して係止凹部32からの抜け止めを図り、一方、前記浴槽10と反対側に位置するときは操作ペダルとして機能する。作業者は、このペダルとして機能する係止部兼用ペダル64を踏み込むことにより反対側の前記連結アーム52の先端部を弾性に抗して押し下げることができる。
【００２４】
この係止部兼用ペダル64を前記浴槽10の係止凹部32に係合する場合には、まず、ストレッチャーＳをそのガイドローラー24がガイド溝13に嵌挿させた状態で  図６に示すように、誘導斜面部33側から、即ち、図において、Ａ方向に向かってストレッチャーＳを移動する。すると、前記連結アーム52の係止部兼用ペダル64が前記係止片31の内側に位置した状態で、前記連結アーム52が前記誘導斜面部33に沿って下降し、前記係止凹部32に係合される。そして、前記ストレッチャーＳは前記入浴装置Ｂに安定した状態でしっかりと連結・固定される。
【００２５】
この係合を解除する場合には、反対側に位置する係止部兼用ペダル（操作ペダルとして機能する）64を踏み込むことにより前記連結アーム52の先端部を弾性に抗して押し下げて前記係止凹部32から抜き出し（図３の仮想線の状態を参照のこと）、Ａ方向と逆方向又は手前方向にストレッチャーＳを移動すればよい。
【００２６】
ストレッチャーＳ又は浴槽装置Ｂの設計製作上の誤差、又は、浴槽装置Ｂの設置場所を原因として、前記連結アーム52の水平位置が、前記浴槽10における係止部材30の誘導斜面部33の誘導始点（最高端）よりも高くなる場合がある。この場合には、現状態では  前記連結アーム52を誘導することができないため、前記ボルト部材62を前記ナット部材60に対して螺動して下方向に突出させることによって前記連結アーム52の揺動最高位置の高さを前記誘導斜面部33の誘導始点（最高端）よりも低い位置にすればよい。
【００２７】
以上は、この本考案の限られた実施形態を紹介したものであり、この実施形態に限定されず本考案要旨内での変形実施が可能である。例えば、連結装置の詳細構成やその方式は、図示以外の構成のものを採用できること勿論である。
【産業上の利用可能性】
【００２８】
製作段階において、また、入浴装置の設置場所を原因として、ストレッチャーの連結アームの高さと入浴装置の係止凹部の高さとが一致しなくても、従来のように、入浴装置の高さを調節する必要がないため、簡易な作業によってストレッチャーを入浴装置に安定した状態でしっかりと連結・固定する装置として利用することができる。
【図面の簡単な説明】
【００２９】
【図１】図１はこの考案に係る入浴装置のストレッチャー連結装置の正面図である。
【図２】図２は同平面図である。
【図３】図３は図１におけるIII-III 線拡大断面図である。
【図４】図４は図３におけるIV部拡大図である。
【図５】図５は図３におけるV-V 線断面図である。
【図６】図６は同VI-VI 線断面図である。
【符号の説明】
【００３０】
Ｂ  …  入浴装置
10  …  浴槽
11  …  昇降台
12  …  レール（浴槽装置の）
13  …  ガイド溝
30  …  係止部材
31  …  係止片
32  …  係止凹部
33  …  誘導斜面部
Ｓ  …  ストレッチャー
20  …  台車
Ｐ  …  担架
21  …  フレーム
22  …  キャスター
23  …  レール（ストレッチャーの）
24  …  ガイドローラー
241 …  ブラケット（ガイドローラーの）
50  …  取付部材
51  …  支持金具
511 …  連結板
52  …  連結アーム
521 …  揺動軸
522 …  ピン
53  …  引っ張りバネ
60  …  ナット部材（高さ調節手段）
61  …  ブラケット（ナット部材の）
62  …  ボルト部材（高さ調節手段）
63  …  ゴム材（弾性材）
64  …  係止部兼用ペダル
【図１】
0003117859.tif 000003
【図２】
0003117859.tif 000004
【図３】
0003117859.tif 000005
【図４】
0003117859.tif 000006
【図５】
0003117859.tif 000007
【図６】
0003117859.tif 000008